(57)【要約】【課題】電線に端子を圧着する際に端子の長手方向への意図しない変形を抑制可能な端子付き電線の製造方法を提供すること。【解決手段】この製造方法に使用される端子１０は、導体芯線２１に対して加締められて導体芯線２１に接触面１２ａを押し付けた状態で圧着される芯線加締部１２と、芯線加締部１２を厚さ方向に貫通する貫通孔１８及びその厚さ方向において接触面１２ａとは反対側の外側面１２ｂに設けられる窪み１８の少なくとも一方である係合部１８と、を有する。この製造方法は、係合部１８に係合可能な突部３３を加工面３２に有する圧着機３０に対し、圧着前の端子１０を、芯線加締部１２の外側面１２ｂを加工面３２に対面させるように配置する工程と、芯線加締部１２の接触面１２ａに導体芯線２１を対面させるように配置する工程と、圧着機３０によって芯線加締部１２を導体芯線２１に圧着する工程と、を備える。【選択図】図７
2020140886.tif 000002
【特許請求の範囲】
【請求項１】
電線の導体芯線に端子が電気的に接続された端子付き電線の製造方法であって、
前記端子は、
前記導体芯線に対して加締められることによって前記導体芯線に接触面を押し付けた状態にて圧着される芯線加締部と、
前記芯線加締部を厚さ方向に貫通する貫通孔、及び、前記厚さ方向において前記接触面とは反対側にある外側面に設けられる窪み、の少なくとも一方である係合部と、を有し、
当該製造方法は、
前記係合部に係合可能な突部を加工面に有する圧着機に対し、圧着前の前記端子を、前記芯線加締部の前記外側面を前記加工面に対面させるように配置する工程と、
前記芯線加締部の前記接触面に前記導体芯線を対面させるように配置する工程と、
前記圧着機によって前記芯線加締部を前記導体芯線に圧着する工程と、を備える、
端子付き電線の製造方法。
【請求項２】
請求項１に記載の製造方法において、
前記端子は、
前記芯線加締部の前記接触面に複数の凹部を有し、前記複数の前記凹部のうちの互いに隣接する前記凹部に挟まれる箇所に前記係合部を有する、
端子付き電線の製造方法。
【請求項３】
請求項２に記載の製造方法において、
前記端子は、
前記係合部として前記貫通孔を有し、
前記凹部の開口面積よりも前記貫通孔の開口面積が小さい、
端子付き電線の製造方法。
【請求項４】
請求項２又は請求項３に記載の製造方法において、
前記導体芯線は、
銅、アルミニウム、又は、アルミニウム合金から構成される、
端子付き電線の製造方法。
【発明の詳細な説明】
【技術分野】
【０００１】
本発明は、電線の導体芯線に端子が電気的に接続された端子付き電線の製造方法に関する。
【背景技術】
【０００２】
従来から、端子の芯線加締部を導体芯線に対して加締めて圧着することで、端子と導体芯線とを電気的に接続した端子付き電線が提案されている。例えば、従来の端子付き電線の一つは、芯線加締部に複数の凹凸（いわゆるセレーションやインデント）を設け、圧着時にこれら複数の凹凸を導体芯線に食い込ませている。これにより、この従来の端子付き電線では、芯線加締部が圧着時に端子の長手方向に過度に延びるように変形することを抑制するようになっている（例えば、特許文献１を参照）。
【先行技術文献】
【特許文献】
【０００３】
【特許文献１】特開２０１５−２０１４５９号公報
【発明の概要】
【発明が解決しようとする課題】
【０００４】
上述した従来の端子付き電線では、例えば、導体芯線の強度が端子の強度よりも著しく高い場合などにおいて、芯線加締部に設けた凹凸（セレーション等）自体が圧着時に潰れるように変形し、凹凸が導体芯線に十分に食い込まない可能性がある。このとき、芯線加締部が端子の長手方向に大きく延びるように変形し、圧着機（いわゆるアンビル及びクリンパ等）から端子の一部分（例えば、端子の基端側の端部）が押し出される場合がある。押し出された部分には圧着機から適正に押圧力が及ばないため、押し出された部分が電線から離れるように広がる等の想定外の変形が生じ得る。このような想定外の端子の変形は、例えば、圧着後の端子をコネクタの端子収容室などに収容する作業の妨げとなり得るため、好ましくない。
【０００５】
本発明は、上述した事情に鑑みてなされたものであり、その目的は、電線に端子を圧着する際に端子の長手方向への意図しない変形を抑制可能な端子付き電線の製造方法、を提供することにある。
【課題を解決するための手段】
【０００６】
前述した目的を達成するために、本発明に係る「端子付き電線の製造方法」は、下記［１］〜［４］を特徴としている。
［１］
電線の導体芯線に端子が電気的に接続された端子付き電線の製造方法であって、
前記端子は、
前記導体芯線に対して加締められることによって前記導体芯線に接触面を押し付けた状態にて圧着される芯線加締部と、
前記芯線加締部を厚さ方向に貫通する貫通孔、及び、前記厚さ方向において前記接触面とは反対側にある外側面に設けられる窪み、の少なくとも一方である係合部と、を有し、
当該製造方法は、
前記係合部に係合可能な突部を加工面に有する圧着機に対し、圧着前の前記端子を、前記芯線加締部の前記外側面を前記加工面に対面させるように配置する工程と、
前記芯線加締部の前記接触面に前記導体芯線を対面させるように配置する工程と、
前記圧着機によって前記芯線加締部を前記導体芯線に圧着する工程と、を備える、
端子付き電線の製造方法であること。
［２］
上記［１］に記載の製造方法において、
前記端子は、
前記芯線加締部の前記接触面に複数の凹部を有し、前記複数の前記凹部のうちの互いに隣接する前記凹部に挟まれる箇所に前記係合部を有する、
端子付き電線の製造方法であること。
［３］
上記［２］に記載の製造方法において、
前記端子は、
前記係合部として前記貫通孔を有し、
前記凹部の開口面積よりも前記貫通孔の開口面積が小さい、
端子付き電線の製造方法であること。
［４］
上記［２］又は上記［３］に記載の製造方法において、
前記導体芯線が、
銅、アルミニウム、又は、アルミニウム合金から構成される、
端子付き電線の製造方法であること。
【０００７】
上記［１］の構成の製造方法によれば、端子の芯線加締部に設けられた係合部（即ち、芯線加締部を厚さ方向に貫通する貫通孔、及び、芯線加締部の外側面に設けられる窪み、の少なくとも一方）に、圧着機（例えば、アンビル）の加工面に設けた突部が係合した状態で、芯線加締部を導体芯線に圧着することが可能となる。その結果、仮に高強度な導体芯線に端子を圧着する場合であっても、圧着機の突部によって芯線加締部の意図しない長手方向への変形を抑制しながら、導体芯線に芯線加締部を圧着できる。したがって、本構成の端子付き電線の製造方法は、上述した端子の係合部と圧着機の突部との協働が無い場合に比べ、圧着時における端子の長手方向への意図しない変形を抑制可能である。
【０００８】
更に、上述したように圧着時における端子の意図しない変形を抑制することで、本構成の製造方法によって生産した端子付き電線をコネクタ等に接続する際、そのコネクタ等の端子収容室に端子を適正に収容できることになる。
【０００９】
上記［２］の構成の製造方法によれば、端子の芯線加締部に設けた凹部（いわゆるセレーション）が導体芯線に押し付けられた状態で、芯線加締部が導体芯線に圧着される。この圧着の過程において、凹部の周縁部分（具体的には、セレーションのエッジ）と導体芯線との接触点に特に大きな応力が生じ得る。そして、この接触点において、導体芯線の表面に形成される酸化皮膜などが破壊されるとともに、導体芯線に露出した新生面に凹部の周縁部分が押圧接触することとなる。その結果、芯線加締部と導体芯線との間の接触抵抗が小さくなり、端子と電線との電気的接続の信頼性を向上できる。なお、導体芯線の表面に形成される酸化皮膜などの除去は、特に、導体芯線がアルミニウム等から構成された電線を用いて端子付き電線を製造する際、端子付き電線の性能向上の点で有効である。
【００１０】
ここで、本構成の製造方法によれば、隣接する凹部に挟まれる箇所に係合部があり、この係合部に圧着機の加工面に設けられた突部が係合する。例えば、芯線加締部の貫通孔に、圧着機の突部が挿入された状態となる。ここで、圧着機の加工面や加工面に設けられる突部は、一般に、端子や導体芯線に比べて強度に優れる。よって、導体芯線に端子を圧着する場合、隣接する凹部同士の間が狭まるように（即ち、凹部が潰れるように）芯線加締部が変形しようとしても、凹部同士の間にある係合部に係合した突部がそのような変形の妨げとなり、そのような変形（凹部の潰れ）を抑制できる。その結果、高強度な導体芯線に芯線加締部を圧着する場合であっても、端子と電線との電気的接続の信頼性を向上できることになる。
【００１１】
上記［３］の製造方法によれば、芯線加締部にある凹部（いわゆるセレーション）の開口面積よりも、貫通孔の開口面積が小さい。よって、開口面積が過度に大きい貫通孔を設ける場合に比べ、芯線加締部と導体芯線との接触面積の低下を小さくできる。換言すると、芯線加締部と導体芯線との間の導電可能面積の低下を抑制できる。その結果、端子と導体芯線との電気的接続の信頼性を出来る限り維持しながら、圧着時における端子の長手方向への意図しない変形を抑制できる。
【００１２】
上記［４］の製造方法によれば、上述したように、アルミニウム等から構成される導体芯線の表面に自然形成される酸化皮膜を、芯線加締部に設けた凹部（いわゆるセレーション）を用いて破壊しながら、芯線加締部と導体芯線とを電気的に接続できる。よって、本構成の製造方法により、例えば、端子付き電線の軽量化などの点で有効ないわゆるアルミニウム電線を用いて、電気的接続の信頼性に優れた端子付き電線を生産できる。
【発明の効果】
【００１３】
このように、本発明によれば、電線の導体芯線への端子の圧着時において端子の長手方向への変形を抑制可能な、端子付き電線の製造方法、を提供できる。
【００１４】
以上、本発明について簡潔に説明した。更に、以下に説明される発明を実施するための最良の形態を添付の図面を参照して通読することにより、本発明の詳細は更に明確化されるであろう。
【図面の簡単な説明】
【００１５】
【図１】図１は、本発明の実施形態に係る端子付き電線に使用される圧着前の端子の斜視図である。
【図２】図２（ａ）は、図１に示す端子の作製に供される板状金属部材の斜視図であり、図２（ｂ）は、図２（ａ）のＡ部の拡大図である。
【図３】図３は、本発明の実施形態に係る端子付き電線の斜視図である。
【図４】図４（ａ）は、端子の芯線加締部を加締める際に使用されるアンビルの斜視図であり、図４（ｂ）は、図４（ａ）のＢ部の拡大図である。
【図５】図５は、アンビルに端子を載置した状態を示す斜視図である。
【図６】図６は、アンビルに端子を載置した状態を示す正面図である。
【図７】図７（ａ）は、図６のＣ−Ｃ断面図であり、図７（ｂ）は、図７（ａ）のＤ部の拡大図である。
【図８】図８は、変形例に係る図７（ｂ）に対応する図である。
【図９】図９（ａ）は、他の変形例に係る図４（ｂ）に対応する図であり、図９（ｂ）は、図９（ａ）に示すアンビルを使用して加締められる端子の作製に供される板状金属部材の平面図である。
【発明を実施するための形態】
【００１６】
＜実施形態＞
以下、図面を参照しながら、図３に示す本発明の実施形態に係る端子付き電線１の製造方法について説明する。端子付き電線１は、図１に示す圧着前の端子１０を電線２０に加締めて圧着することで作製される。以下、説明の便宜上、図１（及び図４）に示すように、「前後方向」、「幅方向」、「上下方向」、「前」、「後」、「上」及び「下」を定義する。「前後方向」、「幅方向」及び「上下方向」は、互いに直交している。
【００１７】
図１に示す圧着前の端子１０は、図２（ａ）に示す板状金属部材１０Ａに所定の加工を施すことで形成されるメス端子である。端子１０は、相手側端子（オス端子、図示省略）が嵌合する接続部１１と、接続部１１の後方側に連続し且つ電線２０の端部から露出した導体芯線２１（図３参照）を固定する芯線加締部１２と、芯線加締部１２の後方側に連続し且つ電線２０の端部の導体芯線２１の周囲を覆う被覆２２を固定する被覆加締部１３と、を備える。電線２０の導体芯線２１は、典型的には、銅又はアルミニウム材料で形成されている。
【００１８】
端子１０の接続部１１は、角筒状の形状を有しており、その上面の幅方向一側の前後方向両端部には、上方に突出する一対の突出部１４が形成されている。一対の突出部１４は、例えば、端子１０を収容するハウジング（図示省略）のランス（図示省略）と係合して、端子１０の抜け止め機能を果たす。
【００１９】
端子１０の芯線加締部１２には、互いに対向するように上方に延びる一対の加締め片１５が形成されている。これらの加締め片１５を導体芯線２１に加締めることで、芯線加締部１２の接触面（内側面）１２ａ（図１及び図２（ｂ）参照）が導体芯線２１に押し付けられた状態で、芯線加締部１２が導体芯線２１に圧着される。これにより、導体芯線２１が芯線加締部１２に固定されると共に電気的に接続される。
【００２０】
端子１０の被覆加締部１３には、互いに対向するように上方に延びる一対の加締め片１６が形成されている。これらの加締め片１６を被覆２２に加締めることで、被覆加締部１３が被覆２２に圧着される。これにより、電線２０の被覆２２が被覆加締部１３に固定される。以上のように、電線２０の導体芯線２１が芯線加締部１２に固定され、且つ、電線２０の被覆２２が被覆加締部１３に固定されることで、図３に示す端子付き電線１が得られる。
【００２１】
端子１０は、図２（ａ）に示す板状金属部材１０Ａに、更に、プレス加工・曲げ加工等を施すことで形成される。板状金属部材１０Ａは、典型的には、銅材料で形成されている。なお、図２（ａ）に示す接続部１１は、模式的に示しており、実際の形状とは異なる。また、図２（ａ）に示す板状金属部材１０Ａには、圧着後に除去されることになるキャリア２が記載されている。キャリア２とは、大量生産の都合上、複数の端子１０の被覆加締部１３の後端部を連結して連鎖端子を構成するための帯状部分である。
【００２２】
図２（ｂ）から理解できるように、端子１０の芯線加締部１２の接触面１２ａには、その大部分の領域に亘って島状に均一に配置されるように、複数の凹部（セレーション）１７が形成されている。各凹部１７は、本例では、円形状の窪みであるが、円形状以外の形状（例えば、矩形状）の窪みであってもよい。
【００２３】
また、芯線加締部１２には、複数の凹部１７のうち互いに隣接する凹部１７に挟まれるそれぞれの箇所に、芯線加締部１２の外側面１２ｂ（図１及び図３参照）から接触面１２ａに向けて貫通する貫通孔１８が形成されている。即ち、複数の貫通孔１８も、複数の凹部１７と同様、芯線加締部１２において島状に均一に配置されている。各貫通孔１８は、本例では、円形状の貫通孔であるが、円形状以外の形状（例えば、矩形状）の貫通孔であってもよい。貫通孔１８の開口面積は、凹部１７の開口面積より小さい。
【００２４】
更に、芯線加締部１２の接触面１２ａには、複数の凹部１７及び複数の貫通孔１８が形成されている領域を前後方向に挟むように、幅方向に延びる一対の凸条（インデント）１９が形成されている。芯線加締部１２に形成された凹部１７、貫通孔１８、及び凸条１９のそれぞれの機能については後述される。
【００２５】
次いで、電線２０への端子１０の圧着方法について説明する。端子１０の圧着は、図４（ａ）に示すアンビル３０を用いて行われる。アンビル３０の上部には、上方に突出し且つ前後方向に延びる平板部３１が一体に形成されている。平板部３１の上面が、端子１０の圧着の際の加工面３２として機能する。加工面３２は、本例では、円弧状に窪み且つ前後方向に延びる形状（前後方向に延びる軸線を有する円筒内面における周方向の一部分に対応する形状）を有している。
【００２６】
図４（ｂ）に示すように、加工面３２における端子１０の芯線加締部１２に対応する前後方向位置には、上方に突出する複数の円柱状の突部３３が形成されている。複数の突部３３は、端子１０の芯線加締部１２に形成された複数の貫通孔１８の一部又は全部に対応する位置に配置されている。よって、端子１０が加工面３２に載置された際に、複数の突部３３の全てが芯線加締部１２の対応する貫通孔１８にそれぞれ挿入（係合）され得るようになっている。
【００２７】
端子１０の圧着の際には、先ず、圧着前の端子１０（図１参照）が、芯線加締部１２の外側面１２ｂがアンビル３０の加工面３２に対面するように、アンビル３０の加工面３２の所定箇所に載置される（図５及び図６参照）。これにより、加工面３２の複数の突部３３の全てが、端子１０の芯線加締部１２の対応する貫通孔１８にそれぞれ挿入（係合）された状態となる（図７（ｂ）参照）。
【００２８】
次いで、電線２０が、導体芯線２１が芯線加締部１２の接触面１２ａに対面し且つ被覆２２が被覆加締部１３に対面するように、圧着前の端子１０の所定箇所に載置される（図５参照）。
【００２９】
次いで、図５に示すように、アンビル３０の加工面３２に載置されている端子１０に向けて、上方からクリンパ４０が押し付けられる。これにより、芯線加締部１２の一対の加締め片１５が導体芯線２１に加締められることで、芯線加締部１２の接触面１２ａが導体芯線２１に押し付けられた状態で、芯線加締部１２が導体芯線２１に圧着され、且つ、被覆加締部１３の一対の加締め片１６が被覆２２に加締められることで、被覆加締部１３が被覆２２に圧着される。これにより、図３に示す端子付き電線１が得られる。
【００３０】
このように、本例では、アンビル３０の加工面３２に設けた複数の突部３３の全てが端子１０の芯線加締部１２に設けられた対応する貫通孔１８にそれぞれ係合した状態で、芯線加締部１２の圧着がなされる。これにより、複数の突部３３によって芯線加締部１２の前後方向への変形が妨げ得られた状態で、導体芯線２１への芯線加締部１２の圧着がなされる。このため、電線２０の導体芯線２１への端子１０の圧着時において端子１０の長手方向への変形が抑制され得る。
【００３１】
更に、圧着後の端子１０（端子付き電線１）では、図７（ｂ）に示すように、圧着時の圧力により塑性変形した導体芯線２１の一部が、芯線加締部１２に設けられた複数の凹部１７に入り込んで密着している。更に、図示はしていないが、芯線加締部１２に設けられた一対の凸条１９が塑性変形した導体芯線２１の窪みに入り込んで密着している。これらにより、導体芯線２１と芯線加締部１２とが強固に固定され得る。
【００３２】
更に、芯線加締部１２の接触面１２ａが導体芯線２１に押し付けられた際、凹部１７及び凸条１９の周縁部分と導体芯線２１との接触点にて大きな応力が生じ、導体芯線２１の表面に形成された酸化皮膜などが破壊され、導体芯線２１に新生面が露出する。そして、この新生面と凹部１７及び凸条１９の周縁部分とが押圧接触することで、両者間の接触抵抗が小さくなる。この結果、電気的接続の信頼性を向上できる。
【００３３】
＜作用・効果＞
以上、本発明の実施形態に係る端子付き電線１の製造方法によれば、端子１０の芯線加締部１２に設けられた貫通孔１８に、アンビル３０の加工面３２に設けた突部３３が係合した状態で、芯線加締部１２の圧着が可能となる。換言すると、アンビル３０の加工面３２の突部３３によって芯線加締部１２の前後方向への変形を妨げ得る状態で、導体芯線２１への芯線加締部１２の圧着がなされる。したがって、本構成の端子付き電線１の製造方法は、電線２０の導体芯線２１への端子１０の圧着時において端子１０の前後方向への変形を抑制可能である。
【００３４】
更に、本構成の製造方法により、端子１０の貫通孔１８とアンビル３０の突部３３との協働が無い場合に比べ、高強度な導体芯線２１に端子１０を圧着する場合であっても、芯線加締部１２の（ひいては端子１０の）前後方向への変形を抑制できる。その結果、圧着後の端子１０をコネクタ等の端子収容室に適正に収容できる。
【００３５】
更に、端子１０の芯線加締部１２に設けられた凹部１７及び凸条１９が導体芯線２１に押し付けられた状態で、端子１０が電線２０に接続される。ここで、圧着時に芯線加締部１２の接触面１２ａが導体芯線２１に押し付けられると、凹部１７及び凸条１９の周縁部分（即ち、セレーションのエッジ）と導体芯線２１との接触点にて大きな応力が生じ、導体芯線２１の表面に形成された酸化皮膜などが破壊され、導体芯線２１に新生面が露出する。そして、この新生面と凹部１７及び凸条１９の周縁部分とが押圧接触することで、両者間の接触抵抗を小さくでき、電気的接続の信頼性を向上できる。
【００３６】
更に、本構成の製造方法によれば、隣接する凹部１７に挟まれる箇所に貫通孔１８があり、この貫通孔１８にアンビル３０の加工面３２にある突部３３が挿入された状態で、芯線加締部１２が導体芯線２１に加締められる。ここで、アンビル３０の加工面３２や加工面３２に設けられる突部３３は、一般に、端子１０や導体芯線２１に比べて十分に強度に優れる。よって、導体芯線２１に端子１０を圧着する場合、隣接する凹部１７同士の間が狭まるように（即ち、凹部１７が潰れるように）芯線加締部１２が変形しようとしても、凹部１７同士の間にある貫通孔１８に係合した突部３３がそのような変形の妨げとなる。よって、圧着時に隣接する凹部１７同士の間が狭まるように変形して凹部１７自体が潰れることを抑制できる。その結果、上述した電気的接続の信頼性を向上できる効果を適正に発揮できる。
【００３７】
更に、本構成の製造方法によれば、芯線加締部１２にある凹部１７の開口面積よりも、芯線加締部１２にある貫通孔１８の開口面積が小さい。よって、貫通孔１８を設けることによる芯線加締部１２と導体芯線２１との接触面積の低下を、極力小さくすることができる。その結果、端子１０と導体芯線２１との電気的接続の信頼性を向上できる。
【００３８】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３９】
上記実施形態では、本発明の「係合部」として、端子１０の芯線加締部１２に島状に均一に配置された複数の貫通孔１８が形成されている（図７（ｂ）参照）。これに対し、本発明の「係合部」として、端子１０の芯線加締部１２の外側面１２ｂにおける複数の貫通孔１８に対応する位置に、複数の貫通孔１８に代えて、図８に示すように、複数の窪み１８が形成されてもよい。この場合、複数の窪み１８の全てに、アンビル３０の加工面３２に設けた対応する突部３３がそれぞれ係合した状態で、芯線加締部１２の圧着がなされ得る。この結果、上記実施形態と同様の作用・効果が得られる。
【００４０】
更に、本発明の「係合部」として、端子１０の芯線加締部１２における一対の凸条１９に対応する位置に、複数の貫通孔１８に代えて、図９（ｂ）に示すように、幅方向に延びる一対の貫通孔１８、或いは、外側面１２ｂにて幅方向に延びる一対の窪み１８が形成されてもよい。この場合、図９（ａ）に示すように、アンビル３０の加工面３２には、一対の貫通孔１８又は一対の窪み１８に対応する位置に、幅方向に延びる一対のリブ３４が形成される。一対の貫通孔１８又は一対の窪み１８に、アンビル３０の一対のリブ３４がそれぞれ係合した状態で、芯線加締部１２の圧着がなされ得る。この結果、上記実施形態と同様の作用・効果が得られる。
【００４１】
ここで、上述した本発明に係る端子付き電線１の製造方法の実施形態の特徴をそれぞれ以下［１］〜［４］に簡潔に纏めて列記する。
［１］
電線（２０）の導体芯線（２１）に端子（１０）が電気的に接続された端子付き電線（１）の製造方法であって、
前記端子（１０）は、
前記導体芯線（２１）に対して加締められることによって前記導体芯線（２１）に接触面（１２ａ）を押し付けた状態にて圧着される芯線加締部（１２）と、
前記芯線加締部（１２）を厚さ方向に貫通する貫通孔（１８）、及び、前記厚さ方向において前記接触面（１２ａ）とは反対側にある外側面（１２ｂ）に設けられる窪み（１８）、の少なくとも一方である係合部（１８）と、を有し、
当該製造方法は、
前記係合部（１８）に係合可能な突部（３３，３４）を加工面（３２）に有する圧着機（３０）に対し、圧着前の前記端子（１０）を、前記芯線加締部（１２）の前記外側面（１２ｂ）を前記加工面（３２）に対面させるように配置する工程と、
前記芯線加締部（１２）の前記接触面（１２ａ）に前記導体芯線（２１）を対面させるように配置する工程と、
前記圧着機（３０）によって前記芯線加締部（１２）を前記導体芯線（２１）に圧着する工程と、を備える、
端子付き電線（１）の製造方法。
［２］
上記［１］に記載の製造方法において、
前記端子（１０）は、
前記芯線加締部（１２）の前記接触面（１２ａ）に複数の凹部（１７）を有し、前記複数の前記凹部（１７）のうちの互いに隣接する前記凹部（１７）に挟まれる箇所に前記係合部（１８）を有する、
端子付き電線（１）の製造方法。
［３］
上記［２］に記載の製造方法において、
前記端子（１０）は、
前記係合部（１８）として前記貫通孔を有し、
前記凹部（１７）の開口面積よりも前記貫通孔（１８）の開口面積が小さい、
端子付き電線の製造方法。
［４］
上記［２］又は上記［３］に記載の製造方法において、
前記導体芯線（２１）は、
銅、アルミニウム、又は、アルミニウム合金から構成される、
端子付き電線の製造方法。
【符号の説明】
【００４２】
１      端子付き電線
１０    端子
１１    接続部
１２    芯線加締部
１２ａ  接触面
１２ｂ  外側面
１７    凹部
１８    貫通孔、窪み（係合部）
２０    電線
２１    導体芯線
３０    アンビル（圧着機）
３２    加工面
３３    突部
３４    リブ（突部）
【図１】
2020140886.tif 000003
【図２】
2020140886.tif 000004
【図３】
2020140886.tif 000005
【図４】
2020140886.tif 000006
【図５】
2020140886.tif 000007
【図６】
2020140886.tif 000008
【図７】
2020140886.tif 000009
【図８】
2020140886.tif 000010
【図９】
2020140886.tif 000011